(57)【要約】      （修正有）【課題】シート型電力カップリング式伝送モジュールを有する軟性物品を提供する。【解決手段】軟性物品本体１０があり、軟性物品本体１０に、次級誘導モジュール４０が設置され、次級誘導モジュール４０と作動素子とが、電気的に接続され、次級誘導モジュール４０は、柔軟性を有し、また、軟性物品本体１０は、次級誘導モジュール４０に対応した位置に、収納バック１２が設置されて、初級誘導電力モジュール２０が収納され、これにより、初級誘導電力モジュール２０が、収納バック１２にセットされる時、電磁カップリング効果により、作動素子が作動され、また、柔軟性を有するように、設置されるため、衝撃防止や破裂防止及び防水の効果が得られる。【選択図】図５
0003194774.tif 000002
【実用新案登録請求の範囲】
【請求項１】
軟性物品本体と、初級誘導電力モジュールと、柔軟性を有する次級誘導モジュールと、作動素子からなるシート型電力カップリング式伝導モジュールを有する軟性物品であって、
上記軟性物品本体には、固定部が設けられ、上記固定部の一側に、収納バックが設置され、
上記初級誘導電力モジュールが、上記収納バックにセットされ、電池があり、上記電池に、初級誘導コイルが連接され、上記初級誘導コイルが、リング状で、同心円状に、間隔的に設置され、初級誘導シートが、上記初級誘導コイルの一側に設置され、
上記次級誘導モジュールが、上記軟性物品本体の固定部に固定され、次級誘導シートがあり、上記次級誘導シートが位置した一側に、次級誘導コイルが設けられ、上記次級誘導コイルが、リング状で、同心円状に、間隔的に設置され、上記次級誘導シートが、柔軟性を有するものであり、
上記作動素子が上記軟性物品本体に設置され、上記次級誘導コイルに電気的に接続され、
上記初級誘導電力モジュールが、上記収納バックに収納されて、上記次級誘導モジュールと、互いに、対応して重ね合う時、上記初級誘導コイルと上記次級誘導コイルとが、電磁カップリングを生成して、上記電池の電力が、上記初級誘導コイルによる無線伝送により、上記次級誘導コイルに送られ、上記作動素子に対して電力を供給して、上記作動素子を作動させることを特徴とするシート型電力カップリング式伝送モジュールを有する軟性物品。
【請求項２】
さらに、ケーシングを有し、上記ケーシングが、上蓋と底板を有し、上記ケーシングに、上記初級誘導電力モジュールが収納され、また、上記上蓋の一側に、挿設槽が設けられ、上記挿設槽が、上記電池と電気的に接続されることを特徴とする請求項１に記載のシート型電力カップリング式伝送モジュールを有する軟性物品。
【請求項３】
上記軟性物品本体は、上記次級誘導モジュールと上記作動素子及び上記初級誘導電力モジュールを設置できる着用物や布カーテン、傘及びテント等から選ばれる物品であることを特徴とする請求項１に記載のシート型電力カップリング式伝送モジュールを有する軟性物品。
【請求項４】
上記作動素子が、LEDランプ、スピーカー、ファン及びセンサー等の電力伝送によって駆動される素子であることを特徴とする請求項１に記載のシート型電力カップリング式伝送モジュールを有する軟性物品。
【請求項５】
上記初級誘導シートと上記次級誘導シートが、柔軟性の軟性シート体で、鉄粉接着物とアルミ材質からなることを特徴とする請求項１に記載のシート型電力カップリング式伝送モジュールを有する軟性物品。
【考案の詳細な説明】
【技術分野】
【０００１】
本考案は、電力伝送モジュールを有する軟性物品に関するものであり、さらに詳しくは、シート型電力カップリング式伝送モジュールを有する軟性物品に関するものである。
【背景技術】
【０００２】
一般の軟性物品、例えば、人の着用物や傘及びテント等の生地やナイロン繊維等の材質からなる製品が、安全性や快適性等を確保するため、発光や発熱或いは冷却等の機能を発揮することが必要になることがある。また、ユーザのニーズを満足させるため、上記の軟性物品に、発光や発熱或いは冷却等の機能を持たせるために、電子装置を利用しなければならない場合がある。かかる場合に、上記電子装置の電源供給には、携帯電源の電力供給を利用する。また、一般の携帯電源は、随時に、充電できない問題を解消するため、上記携帯電源で、充電を必要とする物品の代わりに、商用電力に連接して、電力を蓄電装置に格納できる。携帯電源が一杯に充電された後、携帯電源を、充電を必要とする物品に連接して充電させることができるため、商用電力のソケットに、長時間に固定することが必要でないから、関連業者が、携帯電源を電子装置を有する軟性物品に結合し、上記軟性物品の電子装置が、導線を介して、上記携帯電源に電気的に接続され、上記電子装置が、上記携帯電源から電力を受ける。これにより、上記軟性物品に格別な機能を有するが、上記軟性物品は、人の着用物であるのが多く、上記着用物に対して、水洗いを行わなければならないため、ジョイントや・b・ミ・I等が、引きかかりや湾曲にされることがあり、ジョイントの損害や上記電子装置のジョイント部分に水分が入って、上記電子装置と上記携帯電源とが通電される時、短絡によって故障するおそれがある。最悪の場合では、炎上することもあり、また、上記携帯電源は、伝送線で、充電物品に連接して充電し、携帯電源をとともに、伝送線を持ち歩くことが必要になり、そのため、ユーザにとって利便性に欠ける。
【０００３】
そのため、関連業者は、上記の従来の携帯電源の諸欠点を解消するため、無線充電装置を開発した。上記無線充電装置は、銅線を利用するコイルモジュールと硬式基板に設置された充電モジュールとからなり、電磁誘導により、電子設備に対して充電することができるが、上記硬式基板の充電モジュールが厚いし、上記硬式基板の板質が容易に亀裂し、柔軟性を有しないため、上記無線充電装置は、保管空間が大きく、上記無線充電装置が、不意に、落下する時や衝撃を受ける時、上記硬式基板が破裂し、上記硬式基板と上記コイルモジュールとが分離され、電力誘導できなくなるという問題がある。
【考案の概要】
【考案が解決しようとする課題】
【０００４】
従って、本考案の課題は、電力供給を無線化するだけでなく、有効に、全体の厚さを低減でき、また、軟性材料を利用するため、破裂の恐れがなく、同時に、各種類の軟性物品に適用でき、衝撃防止や破裂防止及び防水の効果が得られ、そして、閉鎖性が優れるシート型電力カップリング式伝送モジュールを有する軟性物品を提供することにある。
【課題を解決するための手段】
【０００５】
そこで、本考案者は、上記課題を解決するため鋭意検討を重ねた結果、軟性物品本体と、初級誘導電力モジュールと次級誘導モジュールの二種の誘導モジュールとからなる伝導モジュールを有する軟性物品を用いることにより、上記課題を解決できることに着目し、本考案に想到した。
【０００６】
かくして、請求項１の考案によれば、
軟性物品本体と、初級誘導電力モジュールと、柔軟性を有する次級誘導モジュールと、作動素子からなるシート型電力カップリング式伝導モジュールを有する軟性物品であって、
上記軟性物品本体には、固定部が設けられ、上記固定部の一側に、収納バックが設置され、
上記初級誘導電力モジュールが、上記収納バックにセットされ、電池があり、上記電池に、初級誘導コイルが連接され、上記初級誘導コイルが、リング状で、同心円状に、間隔的に設置され、初級誘導シートが、上記初級誘導コイルの一側に設置され、
上記次級誘導モジュールが、上記軟性物品本体の固定部に固定され、次級誘導シートがあり、上記次級誘導シートが位置した一側に、次級誘導コイルが設けられ、上記次級誘導コイルが、リング状で、同心円状に、間隔的に設置され、上記次級誘導シートが、柔軟性を有するものであり、
上記作動素子が上記軟性物品本体に設置され、上記次級誘導コイルに電気的に接続され、
上記初級誘導電力モジュールが、上記収納バックに収納されて、上記次級誘導モジュールと、互いに、対応して重ね合う時、上記初級誘導コイルと上記次級誘導コイルとが、電磁カップリングを生成して、上記電池の電力が、上記初級誘導コイルによる無線伝送により、上記次級誘導コイルに送られ、上記作動素子に対して電力を供給して、上記作動素子を作動させることを特徴とするシート型電力カップリング式伝送モジュールを有する軟性物品が提供される。
【０００７】
請求項２の考案によれば、
さらに、ケーシングを有し、上記ケーシングが、上蓋と底板を有し、上記ケーシングに、上記初級誘導電力モジュールが収納され、また、上記上蓋の一側に、挿設槽が設けられ、上記挿設槽が、上記電池と電気的に接続されることを特徴とする請求項１に記載のシート型電力カップリング式伝送モジュールを有する軟性物品が提供される。
【０００８】
請求項３の考案によれば、 
上記軟性物品本体は、上記次級誘導モジュールと上記作動素子及び上記初級誘導電力モジュールを設置できる着用物や布カーテン、傘及びテント等から選ばれる物品であることを特徴とする請求項１に記載のシート型電力カップリング式伝送モジュールを有する軟性物品が提供される。
【０００９】
請求項４の考案によれば、
上記作動素子が、LEDランプ、スピーカー、ファン及びセンサー等の電力伝送によって駆動される素子であることを特徴とする請求項１に記載のシート型電力カップリング式伝送モジュールを有する軟性物品が提供される。
【００１０】
請求項５の考案によれば、
上記初級誘導シートと上記次級誘導シートが、柔軟性の軟性シート体で、鉄粉接着物とアルミ材質からなることを特徴とする請求項１に記載のシート型電力カップリング式伝送モジュールを有する軟性物品が提供される。
【考案を実施するための最良の形態】
【００１１】
以下、図面を参照しながら、本考案の特徴や技術内容について、詳しく説明するが、それらの図面等は、参考や説明のためであり、本考案は、それらによって限定されるものではない。
【００１２】
図1と図2は、本考案の第一の好適な実施形態であり、シート型電力カップリング式伝送モジュールを有する軟性物品は、図５に示すように、固定部11が設置された軟性物品本体10を有し、上記軟性物品本体10は、上記固定部11の一側に、収納バック12が設置され、本実施形態によれば、上記軟性物品本体は、着用物や布カーテン、傘或いはテント等の軟性物品から選ばれる。
【００１３】
初級誘導電力モジュール20は、電池21を有し、上記電池21に、初級誘導コイル22が連接され、上記初級誘導コイル22が、リング状であって、同心円状に間隔的に設置される。初級誘導シート23は、上記初級誘導コイル22の一側に設置され、本実施形態によれば、上記初級誘導シート23は、隙間調整シートと屏蔽シート及び隔離シートから構成された柔軟性の軟性シート体である。上記初級誘導シート41は、鉄粉接着物とアルミ材質からなり、また、上記鉄粉接着物は、導磁作用を発揮でき、同時に、電磁干渉や防磁気漏れを防止することが得られる。また、アルミ材質により、磁界を隔離する効果が得られる。
【００１４】
ケーシング30は、図1と図5のように、上蓋31と底板32とを有し、上記ケーシング30に、上記初級誘導電力モジュール20が収納され、上記上蓋31の一側に、挿設槽311が形成され、上記挿設槽311に、上記電池21が電気的に接続され、本実施形態によれば、上記初級誘導コイル22は、上記上蓋31の近くに位置する。
【００１５】
次級誘導モジュール40は、上記軟性物品本体10の固定部11に固定され、次級誘導シート41を有する。上記次級誘導モジュール40は、上記次級誘導シート41の一側に、次級誘導コイル42が設置され、上記次級誘導コイル42は、リング状で、同心円状に、間隔的に設置され、本実施形態によれば、上記次級誘導シート41は、隙間調整シートと屏蔽シート及び隔離シートから構成された柔軟性を有する軟性シート体であり、上記初級誘導シート41は、鉄粉接着物とアルミ材質からなり、上記鉄粉接着物は、導磁の機能を発揮し、同時に、電磁干渉や防磁気漏れを防止することができ、また、アルミ材質により、磁界を隔離する効果が得られる。
【００１６】
作動素子50は、上記軟性物品本体10に設置されて、上記次級誘導コイル42に電気的に接続され、本実施例によれば、上記作動素子50は、LEDランプやスピーカー、ファン及びセンサー等の電力伝送によって駆動される素子から選ばれる。
【００１７】
図3と図5のように、上記軟性物品本体10の固定部11に、上記次級誘導モジュール40が固定され、上記次級誘導モジュール40と上記作動素子50が、電気的に接続されるため、使用する時、ユーザは、上記初級誘導電力モジュール20を、上記軟性物品本体10の収納バック12にセットして、上記初級誘導電力モジュール20と上記次級誘導モジュール40とが、相互対応して重ね合わせることにより、上記初級誘導コイル22と上記次級誘導コイル40とが、電磁カップリングを生成して、上記電池21の電力が、上記初級誘導コイル22により、上記次級誘導コイル42に無線伝送され、上記作動素子50に対して電力を供給し、また、上記作動素子50を作動させ、これにより、上記作動素子50で、所定の機能を発揮させ、また、上記次級誘導モジュール40と上記作動素子50には、防水のり層を塗れて、防水の作用が実現する。そのため、本考案は、上記初級誘導電力モジュール20と上記次級誘導モジュール40で、有効に、全体の厚さを低減でき、無線電力伝送の速度が向上し、また、本考案にかかる次級誘導モジュール40は、柔軟性を有するため、碎裂することなく、各種類の軟性物品に適用でき、衝撃防止や破裂防止及び防水の効果が得られる。そして、閉鎖性が優れ、最後に、上記初級誘導電力モジュール20は、携帯式無線誘導電池であってもよく、ユーザが、その他の外部の電器に充電することができ、よりよい利便性が実現する。
【００１８】
また、図3乃至図5のように、上記軟性物品本体10は、チョッキで、上記作動素子50が、発光板や冷却シート或は発熱シート等の所定の機能を有する物品であり、本実施形態によれば、上記作動素子50は、発光板51である。そのため、使用する時、ユーザが、上記初級誘導電力モジュール20を、上記軟性物品本体10の収納バック12にセットして、上記初級誘導コイル22と上記次級誘導コイル42とが、電磁カップリング効果を発生し、上記作動素子50に対して電力を供給する。そのため、上記作動素子50が作動し、上記チョッキに、発光警示作用を発揮させる。また、種々の夜間環境に適用でき、歩行者の生命安全が守られる。また、本考案によれば、上記初級誘導シート23と上記次級誘導シート41の柔軟性と自身の作製材質の特徴を利用して、上記初級誘導電力モジュール20と上記次級誘導モジュール40の重さと体積を、最低限に低下させ、ユーザにとって、携帯や使用において、さらに好適な利便性が得られる。
【００１９】
また、図6は、本考案の第二実施形態であり、本実施形態は、前記第一の好適な実施形態と、上記軟性物品本体10が帽子である箇所が異なり、上記作動素子50が、ファン52で、上記作動素子50が、上記帽子の本体に設置され、図5を参照しながら、使用する時、ユーザが、上記初級誘導電力モジュール20を、上記軟性物品本体10の収納バック12にセットして、上記初級誘導コイル22と上記次級誘導コイル42とが、電磁カップリング効果を発生し、上記作動素子50に対して電力を供給して、上記ファン52が回転し、放熱の効果が実現する。本考案に係る上記初級誘導電力モジュール20と上記次級誘導モジュール40は、異なる種類の軟性物品に対応して設置されるため、本考案の適用性が向上する。
【００２０】
図7は、本考案の第三実施形態であり、本実施形態は、前記第一の好適な実施形態と、上記軟性物品本体10が傘である箇所が異なる。上記作動素子50が、複数のLEDランプ53で、上記のLEDランプ53は、上記傘のフレームにセットされ、上記軟性物品本体10の収納バック12が、上記傘の手元に設置され、また、図5を参照しながら、第一の好適な実施形態によれば、上記初級誘導電力モジュール10が、上記軟性物品本体10の収納バック12にセットされ、上記初級誘導コイル22と上記次級誘導コイル42とが、電磁カップリング効果を生成して、上記作動素子50に対して電力を供給し、上記のLEDランプ53を発光させ、傘を差す歩行人の交通安全性を向上させることができる。 
【００２１】
図8は、本考案の第四実施形態であり、本実施形態は、第一の好適な実施形態と、上記軟性物品本体10が、側バッグであり、上記作動素子50が、複数のLEDランプ53で、上記らのLEDランプ53が、上記側バッグの一側の周縁において、上記側バッグのブランドの文字のように、或は、上記側バッグの一側において、図柄のように、設置される。本実施形態によれば、上記のLEDランプが、側バッグブランドの文字に配列される。上記軟性物品本体10は、収納バック12が、上記側バッグの部に設置される。図5を参照しながら、第一の好適な実施形態のように、上記初級誘導電力モジュール10を、上記軟性物品本体10の収納バック12にセットして、上記初級誘導コイル22と上記次級誘導コイル42とが、電磁カップリング効果を生成して、上記作動素子50に対して電力を供給し、上記のLEDランプ53の発光により、歩行者が、夜間の歩行時、他の人や車両の運転手が、はっきり見え、ユーザの人身安全が向上する。
【００２２】
また、上記初級誘導電力モジュール20の電池21の電力が無くなる場合、無線充電装置で、上記初級誘導電力モジュール20に対して、充電させることにより、上記初級誘導電力モジュール20が、携帯式無線誘導電池になる。また、上記初級誘導電力モジュール20に、ソーラパネルが増設されてもよく、上記ソーラパネルにより、上記電池21に充電させて、環境保護の利点が得られる。また、上記上蓋31の一側に、上記挿設槽311が形成される。また、上記挿設槽311と上記電池21とが、電気的に接続されるため、ユーザが、充電導線で、商用電力を利用して、上記電池21に充電できる。これにより、ユーザが、より利便性よく、上記初級誘導電力モジュール20の電池21に充電することができる。
【００２３】
以上は、本考案のより良い実施形態であり、本考案は、それらによって限定されるものではなく、本考案に係る実用新案登録請求の範囲や明細書の内容に基づいて行った等価の変更や修正は、全てが、本考案の範囲内に含まれる。
【図面の簡単な説明】
【００２４】
【図１】本考案の第一の好適な実施形態による軟性物品に用いられる初級誘導電力モジュールの分解斜視図である。
【図２】本考案の第一の好適な実施形態による軟性物品に用いられる次級誘導電池モジュールの分解図である。
【図３】本考案の第一の好適な実施形態による誘導モジュールを有する軟性物品の使用概念図である。
【図４】本考案の好適な実施形態による誘導モジュールを有する軟性物品の使用概念図である。
【図５】本考案の好適な実施形態による軟性物品に用いられる電磁カップリングの状態図である。
【図６】本考案の第二の誘導モジュールを有する軟性物品の使用概念図である。
【図７】本考案の第三の誘導モジュールを有する軟性物品の使用概念図である。
【図８】本考案の第四の誘導モジュールを有する軟性物品の使用概念図である。
【符号の説明】
【００２５】
10  軟性物品本体
11  固定部
12  収納バック
20  初級誘導電力モジュール
21  電池
22  初級誘導コイル
23  初級誘導シート
30  ケーシング
31  上蓋
311  挿設槽
32  底板
40  次級誘導モジュール
41  次級誘導シート
42  次級誘導コイル    
50  作動素子
51  発光板
52  ファン  
53  LEDランプ
【図１】
0003194774.tif 000003
【図２】
0003194774.tif 000004
【図３】
0003194774.tif 000005
【図４】
0003194774.tif 000006
【図５】
0003194774.tif 000007
【図６】
0003194774.tif 000008
【図７】
0003194774.tif 000009
【図８】
0003194774.tif 000010